(57)【特許請求の範囲】
【請求項１】
遊技盤と、該遊技盤に設けられたガイドレールと、該ガイドレールによって前記遊技盤に区画形成された遊技領域と、該遊技領域内に配設された始動入賞口と、該始動入賞口より上方に配設された表示装置と、該表示装置の表示画面の外周付近を取り囲むように、且つ、遊技者側に向けて突出するように前記遊技領域内に配設されたセンター装飾部材とを備えており、前記始動入賞口より上方で、且つ、前記センター装飾部材と前記ガイドレールの間の遊技領域には、障害部材が設置されることで、転動領域が形成されており、
前記センター装飾部材には、前記転動領域からパチンコ球を導入可能とする入口と、該入口より導入した前記パチンコ球を下方の位置で排出可能とする出口と、前記入口と前記出口の間をつなぐ中空状のワープルートとが複数形成されており、該ワープルートの前記出口から排出されたパチンコ球が転動可能なステージが形成されたパチンコ機において、
前記ワープルートの各々が、透明の光透過性材質で形成されており、遊技者側から視て、各ワープルートの一部が重なる状態で、前後方向に配置されており、その後方に前記表示画面が位置することを特徴とするパチンコ機。
【発明の詳細な説明】
【技術分野】
【０００１】
本発明は、パチンコ機に関し、特にパチンコ機が備えるセンター装飾部材の構造に関する。
【背景技術】
【０００２】
従来のパチンコ機では、例えば、特許文献１に記載されているように、遊技領域の中央の位置に配置された表示画面を囲むようにしてセンター役物（「センター装飾部材」に対応するもの）が配置され、また、センター役物の両内側にはワープ装置（「ワープルート」に対応するもの）が設けられている（特許文献１）。
【０００３】
さらに、パチンコ機の機種によっては、例えば、センター役物の右側もしくは遊技領域の右側に、表示画面での表示演出に同期させて可動する装飾用の可動物を設置したものや、ＬＥＤなどの発光手段を設けたものもある（特許文献２）。
【特許文献１】特開２００５−１３７０３号公報
【特許文献２】特開２００２−３０６７５９号公報
【発明の開示】
【発明が解決しようとする課題】
【０００４】
しかしながら、近年、表示画面は大型サイズのものが配置されるようになってきているため、表示画面を囲むセンター役物の外側に位置する遊技領域、ひいては、遊技領域内でパチンコ球が転動流下可能な転動領域が狭くなる傾向にあり、入賞率を考慮した遊技釘のレイアウトに対して非常に厳しい制約が生じていた。
【０００５】
具体的に言えば、表示画面のサイズが、例えば１５インチなど、大型になればなるほど、遊技釘のレイアウトの自由度は減っていくため、センター役物の略斜め上部から横外側を転動流下するパチンコ球を減速させることを目的として遊技釘の配置を設計する際や、センター役物の下外側に配置された始動入賞口に向かって案内させることを目的として遊技釘の道筋を設計する際に、入賞率の調整を行うことが非常に困難となる。
一方、入賞率の調整においては、遊技釘のレイアウトだけでなく、センター役物の略斜め上方部に形成された傾斜面の傾斜角度も大きく影響する。なぜなら、その傾斜角度を変化させれば、その傾斜面に衝突した発射球の勢いに変化が生じて、パチンコ球が遊技釘に衝突しながら始動入賞口に向かう確率も変化するからである。
これらのことは、表示画面のサイズが大型になればなるほど、入賞率を考慮した遊技釘の配置等、レイアウトに対する制約を厳しくするものである。
従って、遊技釘の配置等、レイアウトに対する制約に対して、ゆとりある設計ができるようにするには、センター役物周辺の領域、即ち、遊技釘等を配置することでパチンコ球が始動口へ流下するまでの転動領域のスペースを十分に確保することが必要である。
この観点から、センター役物の一部を表示画面に重ねてしまうと、表示画面をせっかく大型化したにもかかわらず、表示画面の一部が隠れてしまうために、表示画面の大型化に伴う視覚効果などを十分に発揮させることができない。
増して、このような制約に、更に、センター役物の片側に、装飾用の可動物等を設置したいといったニーズと、ワープルートを複数設けたいといったニーズが重なると、装飾用の可動物の動作範囲から外れた位置にワープルートを設けなければならないことも加わることもあって、センター役物の横幅がより広がって、その分、転動領域がより一層狭くなってしまう。また、転動領域が、より一層狭くならないように、ワープルートを表示画面に重ねてしまうと、表示画面がより一層、隠れてしまうため、表示画面の大型化に伴う効果が、より一層十分に発揮できない。
以上の点は、表示画面のサイズが、例えば１３インチなど、従来と同じであったとしても、例えば、センター役物の外側のいずれか一方（左右いずれか一方）の転動領域に大型役物又は装飾可動物や多数の役物を配置させる場合には、表示画面とともにセンター役物を大型役物などの配置側とは反対方向に移動させて偏った配置をしなければならず、転動領域が狭くなることから、同様にして懸念される。
【０００６】
そこで、本発明は、上述した点を鑑みてなされたものであり、ワープルートを複数本設けたセンター装飾部材によって外周が取り囲まれた表示画面が大型化又は偏在されても、パチンコ球が転動流下可能な転動領域のスペースを十分に確保するとともに表示画面の視認に支障がない構造を有したパチンコ機を提供することを課題とする。
更に、本発明は、センター装飾部材もしくは遊技領域のいずれか片側を埋め尽くすように装飾用の可動物が設置されるような場合においても、ワープルートによって装飾用の可動物の動きに支障を来たすことがないパチンコ機を提供することを課題とする。
【課題を解決するための手段】
【０００７】
この課題を解決するために成された請求項１に係る発明のパチンコ機では、表示装置の表示画面の外周付近を取り囲むように、且つ、遊技者側に向けて突出するように遊技領域内に配設したセンター装飾部材に、転動領域からパチンコ球を導入可能とする入口と、該入口より導入したパチンコ球を下方の位置で排出可能とする出口を設け、入口と出口の間をつなぐ中空状のワープルートを透明の光透過性材質で、複数形成し、更に、遊技者側、即ち、遊技機正面からセンター装飾部材を見ると、各ワープルートの一部が重なるように、前後方向に配置している。
このことによって、例えば、センター装飾部材のいずれか片側を埋め尽くすように装飾用の可動物を設置する場合においても、センター装飾部材の反対側の位置に、ワープルートを複数設けているので、装飾用の可動物の動きに支障を来たすことがない。
【０００８】
また、透明の光透過性材質でワープルートを形成している為、前方のワープルートを介して後方のワープルートが視認可能となる。更に、遊技機正面からセンター装飾部材を見て、後方のワープルートが前方のワープルートに完全に重ならないように、位置をずらしている為、前方のワープルートをパチンコ球が通過するタイミングと、同じタイミングで別のパチンコ球が後方のワープルート内を通過するような場合においても、後方のワープルート内を通過するパチンコ球が、前方のワープルート内を通過するパチンコ球に完全に隠れることがない。
【０００９】
更に、遊技機正面からセンター装飾部材を見て、透明の光透過性材質からなるワープルートの後方に、表示画面が位置するようにセンター装飾部材を遊技領域に設置しているので、各ワープルートを介して表示画面が視認可能となる。従って、表示画面を大型化しても、大型化した効果を十分に発揮させることができると共に、転動領域の減少を極力抑制することができる。
【００１０】
また、透明の光透過性材質からなるワープルートの一部が重なるように、表示画面の前方にワープルートを設けることで、遊技機正面から表示画面を見た際に、ワープルートを介して透視する表示画面の領域を少なくすることができる。
【００１１】
もっとも、中空状の各ワープルートの断面は、パチンコ球が通過できるものであれば、円形や、楕円形、多角形などのいずれの形状であってもよい。
【発明を実施するための最良の形態】
【００１２】
以下、本発明の実施の形態を、図面に基づき説明する。図１は、本実施の形態のパチンコ機の遊技盤２０２を示した正面図である。遊技盤２０２の盤面２０２Ａには、略円形状の外レール２０６Ａと内レール２０６Ｂ（請求項１の「ガイドレール」に相当する）とが設けられており、外レール２０６Ａ及び内レール２０６Ｂの内縁で囲まれた領域をもって、遊技領域２０７を形成している。
【００１３】
更に、盤面２０２Ａの遊技領域中央付近には、後述するセンター装飾部材２０５の外周形状に類似する形状であって、センター装飾部材２０５の外周寸法より、若干、小さい寸法の孔（不図示）が設けられている。
そして、図示されないが、表示制御基板と一緒に透明なケースに収納されユニット化された液晶タイプの表示装置が、遊技板２０２の裏面の所定位置にネジなどで固定される。
このことによって、盤面２０２Ａの遊技領域中央付近に形成された孔（不図示）の後方に、表示装置の表示画面２０３が位置するため、遊技者側となる正面から表示画面２０３を視認することが可能となる。
【００１４】
一方、遊技盤２０２の表面（正面）には、図１のごとく、センター装飾部材２０５の一部が盤面２０２Ａの遊技領域中央付近に形成された孔（不図示）の一部を塞ぐように、且つ、センター装飾部材２０５が、液晶表示装置の表示画面２０３の外周付近を取り囲むように、遊技盤２０２の盤面２０２Ａに固定される。
遊技盤に対する具体的な固定方法としては、センター装飾部材２０５のフランジ３１１を遊技盤２０２の盤面２０２Ａに接触した状態で、フランジ３１１の螺子孔３１１Ａに螺子を挿入することで固定される。
【００１５】
遊技盤２０２の盤面２０２Ａに形成された遊技領域２０７内においては、センター装飾部材２０５に加えて、複数の遊技釘２０９、２１０、２１３が配置されると共に、風車２１１、第１始動口２１４、開閉式のチューリップ状羽根２１５Ａを有した第２始動口２１５、ゲート２１６、大入賞口２１７、アウト口２１８、ＬＥＤなどを備えた電飾部材２３１Ａなどが配設されている。
従って、遊技盤２０２の盤面２０２Ａに形成された遊技領域２０７内のうち、表示画面２０３を含めたセンター装飾部材２０５や第1始動口２１４、第２始動口２１５、大入賞口２１７、アウト口２１８、電飾部材２３１Ａを排除した領域で、パチンコ球が転動流下することが可能な転動領域２３２が形成されている。
【００１６】
本実施の形態の遊技盤２０２は、図２に示ような、上皿２１９或いは下皿２２０、ハンドル２２１などが設けられたパチンコ機１に取り付けられるものであって、周知の事項である。
【００１７】
また、パチンコ機１においては、上皿２１９に集められたパチンコ球をハンドル２２１の操作により遊技者が発射すると、その発射球がレール２０６Ａ，２０６Ｂに沿って上昇転動して遊技領域２０７に放出され、センター装飾部材２０５や、遊技釘２０９、２１０、２１３、風車２１１、ゲート２１６、電飾部材２３１Ａなどに衝突・案内されながら落下転動し、第１始動口２１４や、第２始動口２１５、大入賞口２１７に入賞したり、アウト口２１８を通過する。なお、本実施の形態のパチンコ機１は、第１始動口２１４や第２始動口２１５にパチンコ球が入賞すると、主制御基板（図示せず）が大当たりか否かの抽選を行い、その抽選結果に基づく表示指定を表示制御基板（図示せず）に伝達し、表示制御基板（図示せず）が、表示画面２０３に大当たりか否かの抽選結果を示すように表示制御を行う周知のパチンコ機である。
【００１８】
次に、センター装飾部材２０５について、図面に基づき説明する。
図１の正面図や図３の斜視図に示すように、センター装飾部材２０５には、表示画面２０３を露出させるための開口部３０１が設けられており、その開口部３０１の下側には、ステージ３０５が設けられている。
さらに、センター装飾部材２０５の開口部３０１の左側には、屈曲した中空筒状の２本のワープルート３０２Ａ，３０２Ｂが列設されている。
【００１９】
まず、ステージ３０５には、表示画面２０３の前面側に重なるように起立し、転動するパチンコ球から表示画面２０３を保護する保護板３１２と、保護板３１２より遊技者側の位置に起立するリブ３０６、隔壁３１０、３１３が形成されている。保護板３１２とリブ３０６の間には、レーン３０７Ａが湾曲状に形成されている。レーン３０７Ａの中央付近は、後述のワープルート３０２Ａの出口３０４Ａから排出されたパチンコ球を、保護板３１２の中央部付近に設けられた落下入口３０８に向けて案内するように、レーン３０７Ｂの高さ位置より上方に高く形成されている。そして、落下入口３０８に流下したパチンコ球は、内部の通路（不図示）を通って、隔壁３１３の落下出口３０９から第１始動口２１４に向けて落下するように構成されている。また、レーン３０７Ａの中央付近から左右にずれた位置においては、パチンコ球がレーン３０７Ｂからレーン３０７Ａに転がり落ちて、レーン３０７Ａから隔壁３１３を通過して転動領域２３２に流下するような傾斜が施されている。
【００２０】
そして、各レーン３０７Ａ、３０７Ｂの左端側には、ワープルート３０２Ａ，３０２Ｂの出口３０４Ａ，３０４Ｂがそれぞれ配設されている。
【００２１】
隔壁３１０は、レーン３０７Ａ、３０７Ｂよりも上方に突出するようにセンター装飾部材２０５に対して螺子などで固定されている。
隔壁３１０の上方への突出加減（高さ）や横方向の大きさは、発射されたパチンコ球が、隔壁３１０の下方の転動領域２３２で、風車２１１から第1始動口２１４に向けて植設された遊技釘２１３に当たり、跳ね返ることによって、ステージ３０５に載り過ぎないように、即ち、パチンコ球が、第1始動口２１４や第２始動口２１５に到達することなく、アウト口２１８へ流れ落ちる確率が考慮されたもの、あるいは、パチンコ球が、跳ね返って、ステージ３０５に載り、始動口２１４や第２始動口２１５に入賞する確率が考慮されたものである。
【００２２】
なお、隔壁３１０、保護板３１２は、無色透明の光透過性材質であるポリカーボネート樹脂で成形加工されている。
このことによって、遊技者は、隔壁３１０又は保護板３１２を介して、表示画面２０３に映し出される映像を見ることが可能である。また、隔壁３１０の一部においては、後方に保護板３１２が位置するが、隔壁３１０と保護板３１２を介して、遊技者は、表示画面に映し出される映像を見ることが可能である。
【００２３】
なお、隔壁３１０は、センター装飾部材２０５の一部として一体的に成形加工されてもよく、また、隔壁３１０は、隔壁３１３と一体的に成形加工されていてもよい。
【００２４】
次に、センター装飾部材２０５の開口部３０１より左側に形成されたワープルート３０２Ａ、３０２Ｂについて説明する。
ワープルート３０２Ａ，３０２Ｂは、パチンコ球の球径よりやや大きい内径の中空を有しており、センター装飾部材２０５の左側縁部にそれぞれの入口３０３Ａ，３０３Ｂ（図１参照）が形成され、それぞれの下端部に出口３０４Ａ，３０４Ｂが形成されている。また、ワープルート３０２Ａ，３０２Ｂは、無色透明の光透過性材質であるポリカーボーネート樹脂で成型加工されており、さらに、少なくとも上下に立設された部分が表示画面２０３の正面側（図１の図面手前側）で連ねて設けられており、図１に示すように正面から見ると、その上下に立設された部分の一部同士は重なり合った状態にある。
【００２５】
図４は、図１の線Ａ−Ａ箇所で、ワープルート３０２Ａ、３０２Ｂ及び表示画面２０３を切断した部分断面図である。
【００２６】
本実施の形態においては、図４に示すように、遊技者側から表示画面２０３を見ると、ワープルート３０２Ａの幅（直径）Ｅ１とワープルート３０２Ｂの幅（直径）Ｅ２の間に、一部が重なる箇所Ｅ３を設けることで、ワープルート３０２Ａの幅Ｅ１とワープルート３０２Ｂの幅Ｅ２を加算した幅（Ｅ１+Ｅ２）より狭くなる為、遊技者がワープルート３０２Ａ、３０２Ａを介すことなく、表示画面２０３を直接、視ることができる表示領域が増加することになる。
【００２７】
また、表示画面２０３の映像を直視するよりは、若干見づらくはなるが、ワープルート３０２Ａ、３０２Ｂを無色透明の光透過性材質であるポリカーボネート樹脂で構成することで、ワープルート３０２Ａ、３０２Ｂを介して、表示画面２０３の映像が視認できる。
【００２８】
なお、ワープルートを３０２Ａ、３０２Ｂを介して表示画面２０３を見る場合、ワープルートを形成するポリカーボネート樹脂がレンズとなって光を屈折させる為、箇所Ｅ３の領域は、表示画面２０３の映像が最も見づらくなるが、色彩などは確認できる領域であるので、視認可能と言える。
【００２９】
このように、ワープルート３０２Ａ、３０２Ｂを、一部が重なるように配置したことによって、図５に示すように、各ワープルート３０２Ａ、３０２Ｂを通過中のパチンコ球Ｐ１、Ｐ２が重なったとしても、ワープルート３０２Ｂを通過中のパチンコ球Ｐ２の一部を確認することができる。
よって、各ワープルート３０２Ａ、３０２Ｂにパチンコ球が、いかなるタイミングで通過しても、通過中のパチンコ球を見失うことはない。
【００３０】
更に、図１のＡ−Ａ箇所においては、各ワープルート３０２Ａ、３０２Ｂの全幅（Ｅ１+Ｅ２−Ｅ３）が、表示画面２０３に重なるように、表示画面２０３の前面側に配置されている為、大型サイズの表示画面２０３を配置するにも関わらず、センター装飾部材２０５の幅が広がることなく、風車２１１付近の転動領域を確保し易くなる。
【００３１】
また、本実施の形態においては、ワープルート３０２Ａ、３０２Ｂの出口３０４Ａ、３０４Ｂの前方に、隔壁３１０が設置されているが、隔壁３１０も、ワープルート３０２Ａ、３０２Ｂと同様に無色透明の光透過性材質であるポリカーボネート樹脂で成形加工されている為、遊技者は、隔壁３１０介して、ワープルート３０２Ａ、３０２Ｂの出口３０４Ａ、３０４Ｂから排出されるパチンコ球を確認することができると共に、更にその後方の表示画面２０３に映し出される映像を、隔壁３１０及び、ワープルート３０２Ａ、３０２Ｂを介して見ることが可能になる。
【００３２】
本実施の形態においては、表示画面２０３が大型化又は偏在されても、隔壁３１０や保護板３１２やワープルート３０５などが透明の光透過性材質である為、これら透明材質を介して遊技者が表示画面２０３を視認できるので、視覚効果などを十分に発揮させることができる。さらに、表示画面２０３が大型化するに連れて、追従するように、転動領域２３２を狭くしなくても良いので、第１始動口２１４又は第２始動口２１５に対する球の入賞率の調整を考慮したレイアウト設計への制約が比較的緩やかにすることができる。
【００３３】
なお、ワープルート３０２Ａ、３０２Ｂの断面は、パチンコ球が通過できるものであれば、楕円形や多角形などの何れの形状であってもよい。例えば、図６に示すように各ワープルート３０２Ａ、３０２Ｂの断面を楕円形としてもよく、また、図８に示すように各ワープルート３０２Ａ、３０２Ｂの断面を四角形としてもよい。
【００３４】
図６及び図８のように各ワープルート３０２Ａ、３０２Ｂを並べることで、各ワープルート３０２Ａ、３０２Ｂが重なり合わない状態で配列する図７及び図９に比べて、前述したように、表示画面２０３を直接、視ることができる表示領域が増加する。
【００３５】
なお、上記の実施形態に限定されることなく、その趣旨を逸脱しない範囲で様々な変更が可能である。
例えば、ワープルートは３本以上であってもよく、有色透明材質で構成してもよい。
【００３６】
また、センター装飾部材に対するワープルートの設置や形状についても様々な変更が可能であり、センター装飾部材の形状についても、様々な変更が可能である。
図１に示す実施の形態では、ワープルート３０２Ａ，３０２Ｂを透明の光透過性材質で形成したことによって、ワープルート３０２Ａ，３０２Ｂを介して、後方の表示画面２０３が視認可能となったが、ワープルート３０２Ａ，３０２Ｂの上方付近に位置する表示画面２０３の左上隅付近は、遊技盤面２０２Ａの裏面に位置するため、遊技者側から、視認できない。
【００３７】
このため、別の実施の形態として、以下のようなセンター装飾部材を用いれば、表示画面をより一層視認することができる。
図１０は、別の実施の形態として構成された遊技盤の正面図である。
なお、図１０中の構成を説明するに際して、図１に示す実施の形態と共通する構成については、同じ符号を用いて、便宜上、説明詳細を省略する。
【００３８】
図１０においては、センター装飾部材２０５の一部として、基底片面４０１Ａが新たな構成として形成されている。基底片面４０１Ａは、遊技盤２０２の中央に開設された孔（不図示）の輪郭に類似する形状で、若干、孔より大き目に形成されている。このことで、基底片面４０１Ａの周縁端部分のみが、盤面２０２Ａの表面側に接した状態で、遊技盤２０２Ａにねじなどで固定されている。
基底片面４０１Ａには、遊技者側へ垂直に立ち上がるように突出片面４０２が一体形成されている。
突出片面４０２の下流側には、突出片面４０２と同様に、基底片面４０１Ａに対し遊技者側へ垂直に立ち上がるように傾斜片面４０３が一体形成されている。
【００３９】
なお、傾斜片面４０３は、概ね、表示画面２０３の左側の上方から下方に至るまでの長さであり、ワープルート３０２Ｃを構成するものである。
即ち、ワープルート３０２Ｃは、上方に形成された入口３０３Ｃからパチンコ球を内部に受け入れ、下方に形成された出口３０３Ｄからパチンコ球を排出できるように、中空の筒体からなり、途中の地点Ｐ付近で、一旦、表示画面側に屈曲し、再度、下方に延びように形成されている。
【００４０】
そして、地点Ｐよりやや下方には、ワープルート３０２Ａがワープルート３０２Ｃの前方に形成されている。
これらワープルート３０２Ａ、３０２Ｃは、何れも無色透明の光透過性材質で構成されている。
この為、遊技者側から、ワープルート３０２Ａ、３０２Ｃを介して、表示画面２０３を視認することできる。
【００４１】
そして、本実施の形態においては、基底片面４０１Ａも一部が無色透明の光透過性材質で構成されている。
具体的には、基底片面４０１Ａは、二点鎖線で示す表示画面２０３の左上角を境界に、表示画面２０３と重なる領域が、無色透明の光透過性材質であるポリカーボーネート樹脂で成形され、その他が有色で、且つ、不透明である樹脂を使って、一体的二色成形されている。
よって、基底片面４０１Ａの内、有色樹脂で成形された部分が、遊技盤２０２の中央に開設された孔（不図示）を塞いでおり、有色、且つ、不透明である為、遊技盤２０２の裏面側が遊技者は視認できない。
一方、基底片面４０１Ａの内、無色透明の光透過性材質からなる部分によって、表示画面２０３が大きくなっても、遊技者が視認可能となる。
【００４２】
なお、本実施の形態の基底片面４０１Ａは、盤面２０２Ａの転動領域の働きもなす。例えば、ピン形状もしくは障害壁などを基底片面４０１Ａから、遊技者側に突出するように、基底片面４０１Ａと一体に成形することが、より好ましい。
【００４３】
本実施の形態は、表示画面２０３の左上角付近に位置する基底片面４０１Ａを、透明の光透過性材質であるポリカーボーネートと、有色樹脂で二色一体成形し、透明の光透過性材質の樹脂を介して表示画面のみを遊技者が視認可能とする構成であるが、表示画面２０３の左下角付近や右上角付近、或いは、右上角付近を同様に構成すればより一層、遊技盤２０２の中央に開設された孔（不図示）を隠した状態で、表示画面２０３の視認領域を増やすことが可能になる。
【００４４】
即ち、表示画面２０３が大型化又は偏在されても、センター装飾部材２０５の基底片面４０１Ａやワープルート３０５などが透明の光透過性材質である為、これら透明材質を介して遊技者が表示画面２０３を視認できるので、視覚効果などを十分に発揮させることができる。さらに、表示画面２０３が大型化するに連れて、追従するように、転動領域２３２を狭くしなくても良いので、第１始動口２１４又は第２始動口２１５に対する球の入賞率の調整を考慮したレイアウト設計への制約が比較的緩やかにすることができる。
【００４５】
以上のことから、本発明は、ワープルートを複数本設けたセンター装飾部材によって外周付近が取り囲まれた表示画面が大型化又は偏在されても、パチンコ球が転動流下可能な転動領域のスペースを十分に確保するとともに表示画面の視認に支障がなく、更に、センター装飾部材もしくは遊技領域のいずれか片側を埋め尽くすように装飾用の可動物が設置されるような場合においても、ワープルートによって装飾用の可動物の動きに支障を来たすことがないパチンコ機を提供することが可能になる。
【図面の簡単な説明】
【００４６】
【図１】本発明の一実施形態を示したパチンコ機の遊技盤の正面図。
【図２】同パチンコ機を示した正面図。
【図３】同パチンコ機のセンター装飾部材を示した斜視図。
【図４】図１の線Ａ−Ａで表示画面と２本のワープルートを切断した断面図。
【図５】各ワープルートを通過するパチンコ球が重なった状態を示した図。
【図６】図１の線Ａ−Ａで表示画面と２本のワープルートを切断した断面図。
【図７】図１の線Ａ−Ａで表示画面と２本のワープルートを切断した断面図。
【図８】図１の線Ａ−Ａで表示画面と２本のワープルートを切断した断面図。
【図９】図１の線Ａ−Ａで表示画面と２本のワープルートを切断した断面図。
【図１０】別の実施の形態として構成された遊技盤の正面図。
【符号の説明】
【００４７】
１…パチンコ機、２０２…遊技盤、２０２Ａ…遊技盤の盤面、２０３…表示画面、２０５…センター装飾部材、２０７…遊技領域、２３２…転動領域、３０２Ａ，３０２Ｂ…ワープルート、３０３Ａ，３０３Ｂ…ワープルートの入口、３０４Ａ，３０４Ｂ…ワープルートの出口、３０５…ステージ、３０７Ａ，３０７Ｂ…ステージのレーン
【図１】
0004761256.tif 000002
【図２】
0004761256.tif 000003
【図３】
0004761256.tif 000004
【図４】
0004761256.tif 000005
【図５】
0004761256.tif 000006
【図６】
0004761256.tif 000007
【図７】
0004761256.tif 000008
【図８】
0004761256.tif 000009
【図９】
0004761256.tif 000010
【図１０】
0004761256.tif 000011